(57)【要約】【課題】優れた密閉効果を有し、空気の逆流を防止する密封袋の一方向エア弁の提供。【解決手段】エア弁１０は、弁座１と、弁座１の中に配置されリング状の凸環１７と線状に接触される隔膜２と、隔膜２の上に付けられる加圧装置３と、弁座１に嵌合して加圧装置３を制御する弁蓋４とにより構成される。弁蓋４を上下操作して、加圧装置３の隔膜２に対する圧力を制御することにより、リング状の凸環１７上で隔膜２に緊迫作用を生ぜしめ、密閉効果を発揮する。エア弁１０の吸気時に、密封袋の中の空気を隔膜２の下の気孔１４より排出する。弁蓋４と弁座１とは爪４２とかけ口１９１とのかかわりで外れない。【選択図】図１３
0003118216.tif 000002
【実用新案登録請求の範囲】
【請求項１】
弁座と、隔膜と、加圧装置と、弁蓋とを備え、
前記弁座は、一端が開口され、他端に底板を有する弁槽と、前記弁槽の外周面に外周方向に伸びて、密封袋に結合される平板とを有し、前記底板の中央に定位孔、その周囲に複数の気孔とリング状に突き出された凸環がそれぞれ設けられ、前記弁槽の外周面で前記平板を境に前記一端側に凸ねじ山が形成され、前記一端に前記凸ねじ山の外径よりも大きい止め環と複数のかけ口が形成され、
前記隔膜は、柔軟性を有するフィルムからなり、その中央に凸栓が設けられ、前記凸栓を前記弁槽の定位穴に嵌め込まれて、前記弁槽の中に付けられ、
前記加圧装置は、一方端を前記弁蓋に付け、他方端を前記弁槽の底板の凸環の上に合わせて前記隔膜に付けられ、
前記弁蓋は、前記弁槽上に嵌合され、天面に複数の気孔を有し、外周縁部に前記弁槽一端のかけ口から導入し、前記弁槽外周面の凸ねじ山に係合する複数の爪が設けられた、
ことを特徴とする密封袋の一方向エア弁。
【請求項２】
隔膜の加圧装置側にリング状の凸環を有する請求項１に記載の密封袋の一方向エア弁。
【請求項３】
弁蓋の加圧装置側にリング状の凸環を有する請求項１に記載の密封袋の一方向エア弁。
【請求項４】
加圧装置は拡張スプリングである請求項１に記載の密封袋の一方向エア弁。
【請求項５】
加圧装置は透明のプラスチックからなる圧座で、外径が弁槽の内径よりやや小さい短い柱状の管体と、前記管体の外周面に内外を貫通して形成された複数の口と、前記管体の一方の開口縁に外周方向に広がり伸びるリング状のリップチップと、他方の開口内に形成されたクロス形の補強筋と、前記補強筋の外側に突出するプレスリングとを有する請求項１に記載の密封袋の一方向エア弁。
【請求項６】
弁槽の定位孔の縁部に、加圧装置のプレスリングに対応してリングが突出され、これらリングとプレスリングで隔膜の両側からプレス作用をかける請求項５に記載の密封袋の一方向エア弁。
【請求項７】
弁槽の止め環の表面に異なる色の複数の記号が付され、弁蓋の天面に前記記号を表示する表示孔が穿設される請求項１に記載の密封袋の一方向エア弁。
【請求項８】
弁槽の外周面に、凸ねじ山に代えて、ネジ溝がかけ口に向けて斜めに、かつ上下を水平にして上下両端を逆止め用に形成される請求項１に記載の密封袋の一方向エア弁。
【考案の詳細な説明】
【技術分野】
【０００１】
本考案は、空気を真空状態に排出する密封袋の一方向エア弁に関する。
【背景技術】
【０００２】
従来、衣服や布団を収納しやすくするために、真空収納袋が使用されている。この真空収納袋に衣服や布団を収納して、この袋とともに収縮することで、収納空間を節約することができ、また、細菌を抑制し、酸化を防止する等の機能がある。また、この真空収納袋には一方向エア弁が設けられており、この袋を使用するときに、一方向エア弁で袋の中の空気を排出することで、空気が袋に逆戻りしないようになっている。この種の一方向エア弁の構造については、特許文献１〜５に開示されている。特に、特許文献１〜３の一方向エア弁は、排気完了後、上蓋で一方向排気弁を閉める構造が採用されている。なお、特許文献１は本願出願人により提案されたものである。
【特許文献１】アメリカ公告６，６０４，６３４  “ＲＥＣＥＩＶＩＮＧ  ＢＡＧ  ＷＩＴＨ  ＥＮＨＡＮＣＥＤ  ＡＩＲＴＩＧＨＴ  ＥＦＦＥＣＴ”
【特許文献２】アメリカ特許公告５，９３１，１８９  “ＯＮＥ  ＷＡＹ  ＶＡＬＶＥ  ＦＯＲ  ＵＳＥ  ＷＩＴＨ  ＶＡＣＵＵＭ  ＣＬＥＡＮＥＲ  ＡＴＴＡＣＨＭＥＮＴ”
【特許文献３】アメリカ特許公告５，４８０，０３０  “ＲＥＵＳＡＢＬＥ，  ＥＶＡＣＵＡＢＬＥ  ＥＮＣＬＯＳＵＲＥ  ＦＯＲ  ＳＴＯＲＡＧＥ  ＯＦ  ＣＬＯＴＨＩＮＧ  ＡＮＤ  ＴＨＥ  ＬＩＫＥ”
【特許文献４】アメリカ特許公告５，４５０，９６３  “ＡＩＲ  ＲＥＭＯＶＡＬ  ＤＥＶＩＣＥ  ＦＯＲ  ＳＥＡＬＥＤ  ＳＴＯＲＡＧＥ  ＣＯＮＴＡＩＮＥＲ”
【特許文献５】アメリカ特許公告６，４０８，８７２  “ＥＶＡＣＵＡＢＬＥ  ＣＯＮＴＡＩＮＥＲ  ＯＮＥ−ＷＡＹ  ＶＡＬＶＥ  ＷＩＴＨ  ＦＩＬＴＥＲ  ＥＬＥＭＥＮＴ”
【考案の開示】
【考案が解決しようとする課題】
【０００３】
しかしながら、従来の一方向エア弁では、次のような課題がある。
１．特許文献１に示す一方向エア弁は、構造が比較的複雑で、製造コストが一般のエア弁よりも高く、経済効果につなげることができない。
２．特許文献１〜３に示す一方向エア弁は、上蓋と弁座との間で相互に嵌め合わせる形式で、吸気前に上蓋を弁座から開け、吸気完了後、また上蓋を弁座に嵌めるため、上蓋を外すのが使用上不便で、開けた上蓋を紛失しやすい。
３．特許文献１〜３に示す一方向エア弁は、上蓋が密封袋の外に突き出されるもので、密封袋が重なり、運搬、保管の過程で、上蓋がぶつけられたり押されたりすると、容易に開いて外れたりすることがある。
４．特許文献１〜４に示す一方向エア弁は、袋の中が空気でいっぱいになり、上蓋をしているときに、外力から押されたりぶつけられたりすると、瞬間的な圧力増加が生じるが、その圧力が上蓋と弁座との密閉強度より強い場合は、上蓋が飛ばされて不測の事故が起こってしまう。
５．特許文献１〜４に示す一方向エア弁は、弁座の中に軟質フィルムの隔膜があり、上蓋に外力の衝撃や大きな圧力を受けると、隔膜の位置が移動してしまうが、上蓋と隔膜の間にクッションや定位装置がないので、隔膜の受けた圧力が大きすぎて、その位置が移動すると、密封効果が弱くなる。
６．特許文献１〜５の示す一方向エア弁は、隔膜が全てシリコンかゴムの材質なので、気候に影響されやすく、また熱による膨張収縮等の原因で多少収縮変形するから、通気孔を完全には密封できなくなり、空気が逆流するなど密封効果が低下する。
７．特許文献４、５の一方向エア弁は、上蓋がなく、構造が簡素化されているが、通気孔を閉じる隔膜が少し変形すると、通気孔が完全に密閉できなくなり、空気が逆流する。そして、エア弁の使用期限や気候環境等の要素の影響で、上蓋のないままで、隔膜に圧力がかけられ、そして圧力の調整不能の状態では、使用上機能の信頼性を維持することは難しい。
【０００４】
本考案は、このような従来の課題に鑑みなされたもので、この種の一方向エア弁において、特に、構造が簡単で、製造コストの低減を図ること、上蓋の操作性に優れ、開けた上蓋の紛失をなくすこと、上蓋がぶつけられたり押されたりしても、簡単に開いて外れたりすることがなく、さらに飛ばされることがないこと、隔膜の機能及び信頼性の向上を図ること、を目的とする。
【課題を解決するための手段】
【０００５】
上記課題を解決するために、本考案の一方向エア弁は、弁座と、隔膜と、加圧装置と、弁蓋とを備え、これら各部に次のような特徴を具備する。弁座は、一方に口の開く弁槽があり、周りに伸びて、密封袋との結合に使われる平板があり、弁槽のもう一方の底板の真ん中に定位孔があり、その周りに複数の気孔と突き出しのリング状凸環があり、また平板の上にある弁槽の外縁に凸ねじ山があり、凸ねじ山の天辺に外径が凸ねじ山のより大きい止め環があり、この止め環に複数のかけ口がある。隔膜は柔軟性フィルムで、弁槽の中に付けられ、その底の真ん中に凸栓があり、弁槽の定位孔の中に嵌められる。加圧装置は、一方が弁蓋につき、もう一方が隔膜について、そして弁槽の底板にあるリング状凸環の上に合わせられる。弁蓋は、弁座の凸ねじ山と相互に嵌合し、弁蓋の天辺に複数の気孔があり、内壁の底縁に複数の放射状の爪があり、爪は弁座の止め環の作っておいたかけ口から導入後、更に弁座の凸ねじ山との嵌合作用が生じる。
【０００６】
また、この一方向エア弁は、各部に、さらに次のような構成が選択的に採用される。第１に、隔膜の天辺にリング状凸環が一つある。第２に、弁蓋の蓋底にリング状凸環がある。第３に、加圧装置は拡張スプリング、又は透明プラスチック圧座である。後者の透明プラスチック圧座は、外径が弁槽の内径よりやや小さい短柱管体が一つあり、短柱管体の上部の開き口の縁に放射状に広がり伸びるリング状リップチップが一つあり、下部の開き口の中にクロス形の補強筋があり、また短柱管体の周りに複数の透彫りに並ぶ開槽があり、補強筋の底に下向きの突き出しのプレスリングがある。第４に、弁座の定位孔の縁に作っておいた突き出し上リングがあり、プレスリングと上リングとは上下に対応しており、隔膜に上下プレス作用をかけるようになる。第５に、弁座の止め環の表面に色の異なる記号が表示され、弁蓋の天辺に上述の記号に対応するペアの穿孔がある。第６に、弁座の弁槽の外壁にかけ口に合わせる凸ねじ山、形成されるネジ溝がかけ口に向かい、ネジ溝が斜めになり、そして上下が水平になり、上下の二端とも逆止め用になる。
【考案の効果】
【０００７】
本考案の一方向エア弁は、上記構成を有し、特に構造が簡単で、製造コストの低減を図ることができ、また、上蓋の操作性に優れ、開けた上蓋の紛失をなくし、上蓋がぶつけられたり押されたりしても、簡単に開いて外れたり飛ばされたりすることがなく、さらに、隔膜の機能及び信頼性の向上を図ることができる。
【考案を実施するための最良の形態】
【０００８】
以下、本考案の実施の形態について図面を参照しながら説明する。図1乃至図１５に本考案の第１の実施の形態を示している。図１において、一方向エア弁１０は、一つの弁座１と、一つの隔膜２と、一つの加圧装置３と、一つの閥蓋４とにより構成される。この組み立て後の状態は図２に示すとおりである。
【０００９】
弁座１は、図３及び図４に示すように、一端が開口され、他端に底板を有する弁槽１２と、弁槽１２の外周面に外周方向に伸びて、密封袋に結合される平板１１とを有する。弁槽１２の底板の中央に定位孔１３が設けられ、その周囲に複数の気孔１４とリング状に突き出された凸環１７がそれぞれ設けられる。また、弁槽１２の外周面で平板１１を境に一端側（上端側）に凸ねじ山１８が形成され、一端（上端縁）に凸ねじ山１８の外径よりも大きい止め環１９と複数のかけ口１９１が形成される。この場合、止め環１９に４つのかけ口１９１が設けられる。また、弁槽１２の底部に定位孔１３を中心にして放射状に配置される複数の垂直方向防止用のバッフル板１５があり、さらに定位孔１３の底にバッフル板１５につながるリング状の凸環１６がある。なお、この凸環１６の突き出す高さはバッフル板１５よりも低い。
【００１０】
隔膜２は、柔軟性を有するフィルムからなり、図５及び図６に示すように、その底面側の一方の面の真中に凸栓２１が設けられる。この隔膜２は凸栓２１を弁槽１２の底板の定位孔１３内に嵌め込まれて、弁槽１２の中に取り付けられ、弁槽１２の底板のリング状の凸環１７に線状に接触される。
【００１１】
加圧装置３は拡張スプリングで、隔膜２の上に取り付けられ、一方端を弁蓋４に付け、他方端を隔膜２に付けられる。この場合、スプリングの他方端は弁槽１２の底板の凸環１７の上に合わせられる。
【００１２】
弁蓋４は、弁槽１２上に嵌合される。図７及び図８に示すように、この弁蓋４の天面に複数の排気孔４１があり、外周（内壁）縁部に放射状に突出する複数の爪４２がある。これらの爪４２は弁槽１２の一端に形成されたかけ口１９１の相対位置に設けられ、各かけ口１９１から導入し、弁槽１２外周の凸ねじ山１８に係合される。この弁蓋４は爪４２がかけ口１９１から導入しやすいが、かけ口１９１から導出しくい構造で、ねじ回し形式で回すことにより弁座１上を上下移動され、加圧装置３を制御する。
【００１３】
これら弁座１、隔膜２、加圧装置３、弁蓋４を組み合わせた後の各部の関係を、図９に示す。隔膜２は弁槽１２の中にあり、その底にある凸栓２１が弁槽１２の底板の定位孔１３に嵌められて定位され、隔膜２の底が底板のリング状の凸環１７と線状に接触される。隔膜２の上面（天面）のリング状の凸環２２（の外側）に加圧装置３（の下端）が嵌められ、弁蓋４の底のリング状の凸環４３（の内側）に加圧装置３（の上端）が嵌め入れられる。弁蓋４が弁座１に嵌合され、弁蓋４の爪４２が弁座１の凸ねじ山１８に係合されて、これら弁蓋４と隔膜２の間に加圧装置３が圧縮される。このようにして弁蓋４、加圧装置３、隔膜２の三者は確実に安定して、定位される。加圧装置３の下部は弁槽１２の底板のリング状の凸環１７の上に合わせられ、加圧装置３で隔膜２の上に圧力がかけられることにより、隔膜２と弁槽１２のリング状の凸環１７との間が十分に密閉される。
【００１４】
このようにして弁蓋４を弁座１上で順回転又は逆回転し、加圧装置３の弛み具合（圧縮量）を制御することで、隔膜２と弁槽１２の底板との間を密閉したり、空気を排出したりする機能を持つ。また、この弁蓋４の場合、図１０に示すように、弁座１に組み合わせるときに、弁蓋４は爪４２が止め環１９のかけ口１９１に合わせてから軸方向に導入されるが、爪４２の半径方向に突き出す長さ（距離）が止め環１９のかけ口１９１の半径方向の長さよりも大きいので、爪４２がかけ口１９１から導入されると、かけ口１９１から逆方向に退出（移動）できないことになり、たとえ弁蓋４が緩んだ状態になっても、弁蓋４は弁座１から外れないから、弁蓋４が外れて紛失するのを防止することができる。
【００１５】
この一方向エア弁１０は、図１１に示すように、収納袋や他の浸透防止用の袋などに使用する密封袋１００に採用される。この一方向エア弁１０を密封袋１００に取り付ける場合、図１２に示すように、弁座１の平板１１の天面と密封袋１００の上袋１０１の底とを高周波溶接加工でつなぐことができる。これらを組み合わせた後は、弁座１上の凸ねじ山１８に螺合される弁蓋４だけが密封袋１００の外にあり、既述のとおり、外の弁蓋４は弁座１から外れないので、この弁蓋４に外力のぶつかりがあっても外れることがない。
【００１６】
この一方向エア弁１０で吸気操作を行う場合は、図１２に示すように、弁蓋４を逆回しして緩め、弁蓋４と隔膜２との間の間隔を増やして、加圧装置３から隔膜２への圧力を緩めればよく、この状態で吸気作業を行えばよい。この場合、図１３に示すように、吸気装置（図示省略）の吸気管１０３を弁蓋４に繋ぎ、吸気管１０３の口の周りを密封袋１００の上袋１０１の上から平板１１に合わせて、吸気を行い、密封袋１００の中の空気を真空の状態に近いところまで吸い出す。吸気の間、隔膜２と加圧装置３は共に２ｍｍ以上浮いて、隔膜２が弁槽１２の底板のリング状の凸環１７に触れない状態になり、袋の中の空気が強力な吸気作用により、弁槽１２の気孔１４と弁蓋４の排気孔４１を通って吸気管１０３に吸い出される。このようにして吸気を袋内が真空に近い状態になるまで続ける。
【００１７】
吸気を完了したら、吸気管１０３を弁蓋４から外す。このとき、図１４に示すように、隔膜２が大気の圧力と密封袋１００内のマイナス圧により速やかに弁槽１２の底板に戻って、リング状の凸環１７に自動的に張り付き、一方向の逆止作用を生ぜしめて、空気が密封袋１００の中へ流れ込むのを防ぐ。この状態から、操作者は、図１５に示すように、弁蓋４を下向きへ閉めて弁蓋４と隔膜２との間隔を縮めることにより、加圧装置３が圧縮されてスプリング力が増加するから、この加圧装置３による隔膜２への圧力がさらに大きくなり、隔膜２とリング状の凸環１７との密閉効果がさらに向上して、空気の逆流を有効に防止する。
【００１８】
以上説明したように、この一方向エア弁１０は、弁座１、隔膜２、加圧装置（スプリング）３、弁蓋４の４つの部品により構成され、それぞれ構造が簡単なので、製造しやすく、組み合わせが容易で、コストを大幅に削減することができる。
【００１９】
また、特に、弁蓋４をねじ式にして、弁蓋４を回すだけで、加圧装置３の隔膜２に対する圧力を加減制御できるので、いつでも隔膜２の弛み具合を調整して、隔膜２と弁槽１２の底板との間を簡単に密閉することができ、また反対に、空気を簡単に排出することができるなど、弁蓋４に優れた操作性を具備することができる。さらに、この弁蓋４は、弁座１に組み合わせるときに、弁蓋４の爪４２を止め環１９のかけ口１９１に合わせてに導入し、この爪４２の半径方向に突き出す長さ（距離）が止め環１９のかけ口１９１の半径方向の長さよりも大きいので、爪４２がかけ口１９１から導入されると、かけ口１９１から逆方向に移動できなくなり、たとえ弁蓋４が緩んだ状態になっても弁蓋４は弁座１から外れないから、開けた弁蓋４を紛失することがない。またさらに、この一方向エア弁１０を密封袋１００に取り付ける場合に、弁座１の平板１１の天面と密封袋１００の上袋１０１の底とを高周波溶接加工でつなぐことができ、これらを組み合わせた後は、弁座１上の凸ねじ山１８に螺合される弁蓋４だけが密封袋１００の外にあり、外の弁蓋４は弁座１から外れないので、この弁蓋４がぶつけられたり押されたりしても、簡単に開いて外れたりすることがなく、さらに飛ばされることもない。またさらに、隔膜２を弁槽１２の中に入れ、その底にある凸栓２１を弁槽１２の底板の定位孔１３に嵌め込んで定位し、この隔膜２の上に加圧装置３を付けて、弁座１に弁蓋４を嵌合し、弁蓋４の爪４２を弁座１の凸ねじ山１８に係合させて、加圧装置３を圧縮するので、弁蓋４、加圧装置３、隔膜２の３者を確実に安定させることができる。したがって、隔膜２と弁蓋４の位置が移動しにくくなって、隔膜２の機能及び信頼性を向上させることができる。
【００２０】
図１６乃至図１９に本考案の第２の実施の形態を示している。この実施の形態では、加圧装置５に、拡張スプリングに代えて、硬質、透明のプラスチックの圧座が用いられる。この圧座５は、外径が弁槽１２の？径よりやや小さい、短い柱状の管体５０と、この管体５０の上部開口縁に放射状に広がり、弁座４につくリング状のリップチップ５１とを有する。管体５０の周りには、複数の透彫りに並ぶ口５２がある。下部は隔膜２につき、図１８に示すように、下部開口に隔膜２の天面にあるリング状の凸環２２を導入して定位される。また、管体５０の下部開口の中にクロス形の補強筋５３が設けられ、この補強筋５３の底に下向きに突き出す円形のプレスリング５４があり、このプレスリング５４は弁座１の定位孔１３の縁部に突き出し形成された上リング１３１と上下に対応し、隔膜２の中央部が膨らんだり下へ収縮しないように、このプレスリング５４と上リング１３１で隔膜２の中央部に上下からプレス作用をかけるようにする。その他、上記第１の実施の形態にある凸ねじ山１８に代えて、弁座１の弁槽１２の外壁にかけ口１９１に合わせるネジ溝１８１がある。このネジ溝１８１は斜めになっており、上下が水平で、両端とも逆止め用になり、弁蓋４の底縁の爪４２がネジ溝１８１の中で上下に回転できるが、ネジ溝１８１の上下の両端に来ると、水平回転しかできなくなって、端いっぱいにまでくると回転が止まる。なお、弁蓋４の爪４２はかけ口１９１から導入しやすいが、かけ口１９１から導出しくい構造である。
【００２１】
一方向エア弁１０の組み合わせ完了後、図１８に示すように、透明の加圧装置５のリップチップ５１が弁蓋４に設けられた穿孔４４と弁座１の止め環１９の間にあり、この加圧装置５の底縁が隔膜２に付けられ、隔膜２でリング状の凸環１７が封じられるので、一方向エア弁１０は閉じる状態になり、吸気や排気もできない。図１９に示すように、弁蓋４を緩めて吸気を行うと、隔膜２と加圧装置５が共に２ｍｍ以上に浮き、隔膜２が弁槽１２の底板のリング状の凸環１７に触れないようになり、袋？の空気が強力な吸気作用の中で、弁槽１２の底部の気孔１４を通り、加圧装置５の口５２を経て、弁蓋４の排気孔４１から吸気管１０３に吸い出される。この吸気作業は袋？が真空に近いところまで行われる。また、弁蓋４を緩めて上へまわすと、弁蓋４と弁座１の止め環１９との間に比較的大きな隙間が生じるが、その隙間は加圧装置５の管体５０とリップチップ５１で閉じられるので、吸気管１０３の吸気時に、密封袋１００の中の空気が素早く一方向エア弁１０を通り、吸気時に弁蓋４の穿孔４４から導入する気体を吸入しない。
【００２２】
また、この実施の形態では、図１６に示すように、弁座１の止め環１９の表面にそれぞれ色の異なる記号１９２、１９３が表示される。例えば記号１９２は緑色、記号１９３は赤色であり、二つの記号の間に設定角度（９０°）を保つ。また、これら二つの記号１９２、１９３に合わせるために、弁蓋４の天面に穿孔４４を一つ増設しなければならない。一方向エア弁１０の組み合わせ完了後、図１７に示すように、穿孔４４と止め環１９の天辺の間に透明のリップチップ５１だけがあり（図１８参照）、リップチップ５１は透明なもので、使用者は肉眼で穿孔４４を観察するとき、透明のリップチップ５１により記号１９２又は１９３の色が見えるので、弁蓋４の弁座１に対する緩め具合を確認することができる。例えば穿孔４４の中に緑の記号１９２が表示されるときに、一方向エア弁１０が閉じた状態（弁蓋４がしっかりと嵌合され、吸気、排気ができない状態）を表し、赤の記号１９３が表示されるときは、一方向エア弁１０が開いた状態（弁蓋４が嵌められず、吸気か排気ができる状態）にあることを示す。
【００２３】
このようにしても上記実施の形態と同様の作用効果を奏することができる。この実施の形態では、特に、弁蓋４が緩められた時に、加圧装置５で密封袋１００の内の空気が早く一方向エア弁１０を通るようにし、また、吸気の時に弁蓋４の穿孔４４から気体を吸い込まない。加圧装置５のプレスリング５４と弁座１の上リング１３１とは上下対応して、中央部が上へ膨らんだり下へ収縮しないように、隔膜２の中央部に上下からプレス作用をかけることができる。弁座１の止め環１９の表面に色の異なる二つの記号１９２、１９３が表示され、弁蓋４の天辺の穿孔４４にそれぞれ対応して、肉眼で一方向エア弁１０の開閉状態を判断することができる。
【図面の簡単な説明】
【００２４】
【図１】本考案の第１の実施の形態における一方向エア弁の全体構成を示す分解斜視図
【図２】同実施の形態における一方向エア弁の全体構成を示す組立斜視図
【図３】同実施の形態における一方向エア弁の特に弁座の上面側の構成を示す一部破断斜視図
【図４】同実施の形態における一方向エア弁の特に弁座の下面側の構成を示す斜視図
【図５】同実施の形態における一方向エア弁の特に隔膜の上面側の構成を示す一部破断斜視図
【図６】同実施の形態における一方向エア弁の特に隔膜の下面側の構成を示す斜視図
【図７】同実施の形態における一方向エア弁の特に弁蓋の上面側の構成を示す一部破断斜視図
【図８】同実施の形態における一方向エア弁の特に弁蓋の下面側の構成を示す斜視図
【図９】同実施の形態における一方向エア弁の全体構成を示す断面図
【図１０】同実施の形態における一方向エア弁の全体構成を示す弁座と弁蓋の組み合わせ前の断面図
【図１１】同実施の形態における一方向エア弁が使用される密封袋の斜視図
【図１２】同実施の形態における一方向エア弁が密封袋に取り付けられる状態を示す断面図
【図１３】同実施の形態における一方向エア弁が密封袋に取り付けられ、吸気時の状態を示す断面図
【図１４】同実施の形態における一方向エア弁が密封袋に取り付けられ、吸気完了後の状態を示す断面図
【図１５】同実施の形態における一方向エア弁が密封袋に取り付けられ、吸気完了後、弁蓋が締め込まれた状態を示す断面図
【図１６】本考案の第２の実施の形態における一方向エア弁の全体構成を示す分解斜視図
【図１７】同実施の形態における一方向エア弁の全体構成を示す組立斜視図
【図１８】同実施の形態における一方向エア弁の全体構成を示す断面図
【図１９】同実施の形態における一方向エア弁が密封袋に取り付けられ、吸気時の状態を示す断面図
【符号の説明】
【００２５】
１０  一方向エア弁
１  弁座
１１  平板
１２  弁槽
１３  定位孔
１３１  上リング
１４  気孔
１５  バッフル板
１６  凸環
１７  凸環
１８  ねじ山
１８１  ネジ溝
１９  止め環
１９１  かけ口
１９２、１９３  記号
２  隔膜
２１  凸栓
２２  凸環
３  加圧装置３
４  弁蓋４
４１  排気孔
４２  爪
４３  凸環
４４  穿孔
５  圧座
５０  管体
５１  リップチップ
５２  口
５３  補強筋
５４  プレスリング
１００  密封袋
１０１  上袋
１０３  吸気管
【図１】
0003118216.tif 000003
【図２】
0003118216.tif 000004
【図３】
0003118216.tif 000005
【図４】
0003118216.tif 000006
【図５】
0003118216.tif 000007
【図６】
0003118216.tif 000008
【図７】
0003118216.tif 000009
【図８】
0003118216.tif 000010
【図９】
0003118216.tif 000011
【図１０】
0003118216.tif 000012
【図１１】
0003118216.tif 000013
【図１２】
0003118216.tif 000014
【図１３】
0003118216.tif 000015
【図１４】
0003118216.tif 000016
【図１５】
0003118216.tif 000017
【図１６】
0003118216.tif 000018
【図１７】
0003118216.tif 000019
【図１８】
0003118216.tif 000020
【図１９】
0003118216.tif 000021